(57)【特許請求の範囲】
【請求項１】
軸部と、軸部の両側に配置された側板部とを備え、一端部に電源プラグが設けられたケーブルを巻き取り可能なドラムリールと、
前記ケーブルの他端部に接続され、前記ドラムリールに設けられたプラグ受け部と、
前記ドラムリールを回転可能に支持する支持部とを備えた電工ドラムであって、
前記側板部の内側面において、前記軸部の近傍に、前記プラグ受け部を設け、
前記ドラムリールに巻き取られたケーブルをすべて引き出した場合に、前記プラグ受け部が露出し、前記電源プラグから、前記ケーブルを介して供給される電力を、前記プラグ受け部に供給可能としたことを特徴とする電工ドラム。
【請求項２】
軸部と、軸部の両側に配置された側板部とを備え、一端部に電源プラグが設けられたケーブルを巻き取り可能なドラムリールと、前記ケーブルの他端部に接続され、前記ドラムリールに設けられたプラグ受け部と、前記ドラムリールを回転可能に支持する支持部とを備えた電工ドラムに取り付ける電工ドラム用アタッチメントであって、
前記電工ドラムの前記プラグ受け部に接続する差込プラグと、
前記差込プラグと電気的に接続される新設プラグ受け部と、
前記差込プラグに接続される装着部とを設け、
前記装着部は、前記側板部の内側の側面であって、前記ドラムリールの軸部に巻き取られたケーブルをすべて引き出した場合に露出する前記軸部の近傍の位置に、前記新設プラグ受け部を配置することを特徴とするアタッチメント。
【請求項３】
前記装着部は、側板部を挿入する空間を開けた２枚の板状部材と、前記板状部材の端部を接続する接続部とを備えたことを特徴とする請求項２に記載のアタッチメント。
【発明の詳細な説明】
【技術分野】
【０００１】
本発明は、電工ドラム及び電工ドラムに取り付けるアタッチメントに関する。
【背景技術】
【０００２】
工事現場等において、電源から離れた場所において使用する電気器具に電力を供給するための電工ドラムが用いられている。この電工ドラムは、例えば、３０ｍ〜５０ｍの電源ケーブルが巻回されて収納されており、使用時に、この電源ケーブルを引き出して用いる。この電工ドラムにおいて、ケーブルを巻き付けた状態で通電すると、ケーブルが発熱して、電線の絶縁物の劣化等が生じることが知られている。
【０００３】
そこで、昇温検知装置を設けた電工ドラムが検討されている（例えば、特許文献１参照。）。この電工ドラムには、入力側導電線と出力側導電線との間に漏電遮断器が設けられている。更に、この電工ドラムには、別系統の出力側導電線との間に、抵抗器と常開型のサーモスイッチとを直列に接続した昇温検知装置が設けられている。
【先行技術文献】
【特許文献】
【０００４】
【特許文献１】実開昭６３−１２０５１６号公報
【発明の概要】
【発明が解決しようとする課題】
【０００５】
特許文献１記載の技術においては、温度検知装置等が必要となり、電工ドラムの構成が複雑になる。また、誤検知が生じた場合、電工ドラムの適正な動作を妨げることになる。
本発明は、上述の課題に鑑みてなされ、通電時の発熱を抑制するための電工ドラム及びアタッチメントを提供することにある。
【課題を解決するための手段】
【０００６】
上記課題を解決する電工ドラムは、軸部と、軸部の両側に配置された側板部とを備え、一端部に電源プラグが設けられたケーブルを巻き取り可能なドラムリールと、前記電源プラグに接続され、前記ドラムリールに設けられたプラグ受け部と、前記ドラムリールを回転可能に支持する支持部とを備えた電工ドラムであって、前記ドラムリールに巻き取られたケーブルを引き出した場合に、前記電源プラグから、前記ケーブルを介して供給される電力を、前記プラグ受け部に供給可能としたことを要旨とする。これにより、ケーブルを引き出した場合にのみ、プラグ受け部に、電力供給先（電気機器等）のプラグを挿入して使用することができる。従って、ケーブルをドラムリールに巻き付けた状態での電工ドラムの使用を抑止でき、通電時の発熱を抑制することができる。
【０００７】
上記電工ドラムにおいて、前記プラグ受け部を、前記ドラムリールの軸部において前記ケーブルを巻き取る周面上に設けることが好ましい。これにより、ケーブルを引き出すことにより、プラグ受け部が露出して、使用することができる。
【０００８】
上記電工ドラムにおいて、前記プラグ受け部は、前記軸部において、断面が一部切り欠いた外周の一部に形成された凹部に設けられていることが好ましい。これにより、プラグ受け部が、ドラムリールにケーブルを巻回する際の障害にならない。
【０００９】
上記電工ドラムにおいて、前記側板部の内側面において、前記軸部の近傍に、前記プラグ受け部を設けることが好ましい。これにより、ケーブルを引出した場合に、プラグ受け部を露出させることができる。
【００１０】
上記電工ドラムにおいて、前記ケーブルが前記ドラムリールに巻き取られている場合には通電不可となり、前記ケーブルが前記ドラムリールから引き出された場合には通電可能となるスイッチを前記ドラムリールに設けることが好ましい。これにより、ケーブルを引き出した状態で電力が供給されるので、通電による発熱を抑制することができる。
【００１１】
上記課題を解決するアタッチメントは、軸部と、軸部の両側に配置された側板部とを備え、一端部に電源プラグが設けられたケーブルを巻き取り可能なドラムリールと、前記電源プラグに接続され、前記ドラムリールに設けられたプラグ受け部と、前記ドラムリールを回転可能に支持する支持部とを備えた電工ドラムに取り付ける電工ドラム用アタッチメントであって、前記電工ドラムの前記プラグ受け部に接続する差込プラグと、前記差込プラグと電気的に接続される新設プラグ受け部と、前記差込プラグに接続され、前記ドラムリールの軸部に巻き取られたケーブルを引き出した場合に露出する位置に、前記新設プラグ受け部を配置する装着部とを設けたことを要旨とする。これにより、既存の電工ドラムにおいて、ケーブルを引き出した場合に、プラグ受け部に、電力供給先（電気機器等）のプラグを挿入することができる。従って、ケーブルをドラムリールに巻き付けた状態での使用を抑止できる。
【００１２】
上記アタッチメントにおいて、前記新設プラグ受け部を、前記ドラムリールにおいて前記ケーブルを巻き取る周面上に、又は、前記側板部の内側の側面において、前記軸部の近傍に位置させることが好ましい。これにより、ケーブルを引き出した場合に、プラグ受け部を露出させることができる。
【発明の効果】
【００１３】
本発明によれば、電工ドラムにおいて、通電時の発熱を抑制することができる。
【図面の簡単な説明】
【００１４】
【図１】第１の実施形態における電工ドラムの斜視図。
【図２】第２の実施形態における電工ドラムの説明図であって、（ａ）は斜視図、（ｂ）は要部の説明図。
【図３】第３の実施形態における電工ドラムの斜視図。
【図４】第４の実施形態における電工ドラムの説明図であって、（ａ）は斜視図、（ｂ）はケーブルがドラムリールから引き出された状態、（ｃ）はケーブルがドラムリールに巻かれた状態を示す。
【図５】第５の実施形態における電工ドラム用のアタッチメントの説明図であって、（ａ）はアタッチメントを電工ドラムに取り付けた状態、（ｂ）はアタッチメントの斜視図。
【図６】第６の実施形態における電工ドラム用のアタッチメントの説明図であって、（ａ）は電工ドラムにアタッチメントを取り付けた状態の説明図、（ｂ）はアタッチメントの断面図。
【発明を実施するための形態】
【００１５】
＜第１の実施形態＞
以下、図１を用いて、電工ドラムを具体化した第１の実施形態について説明する。この電工ドラムは、例えば、建設現場やイベント会場等において、中継用の電気配線等として使用される。
【００１６】
図１に示すように、電工ドラム１０は、支持部としてのフレーム１１、ドラムリール１２及び電源ケーブル１３を備えている。
フレーム１１は、図示しない軸受部などを介してドラムリール１２を両方向に回転可能に支持する。本実施形態のフレーム１１は、運搬用の取手部、設置のための脚部、脚部から水平方向に延びてドラムリール１２を支持する支持軸を備えている。
【００１７】
ドラムリール１２は、筒状の軸部１２ａと、軸部１２ａの両側に一体形成された側板部１２ｂとを備えている。
本実施形態のドラムリール１２の軸部１２ａは、断面が円形状の筒状体である。軸部１２ａの外周には、不使用時に電源ケーブル１３が巻回されて収納される。更に、この軸部１２ａの周面上には、プラグ受け部としてのコンセント１４が配置されている。本実施形態では、４個のコンセント１４（３芯）が配置されている。軸部１２ａの内部では、電源ケーブル１３とコンセント１４とが接続されている。
【００１８】
ドラムリール１２の側板部１２ｂは、軸部１２ａより大径の円板形状である。フレーム１１側と反対側の側板部１２ｂには、ドラムリール１２に電源ケーブル１３を巻くためのハンドル（図示せず）が設けられている。
電源ケーブル１３の端部には、電源プラグ１３ａが接続されている。この電源プラグ１３ａは、図示しない電源装置に接続されて、コンセント１４に電力を供給する。
【００１９】
次に、本実施形態の電工ドラム１０の作用について説明する。
本実施形態の電工ドラム１０は、不使用時には、ドラムリール１２の両側板部１２ｂの間で、軸部１２ａの外周に、電源ケーブル１３が巻回して収納されている。
【００２０】
電工ドラム１０を使用する場合には、電源ケーブル１３を、ドラムリール１２から引き出す。電源ケーブル１３をドラムリール１２から、ほぼすべて引き出した場合に、コンセント１４が露出する。この状態で、コンセント１４に、電力供給先の工具等の電源プラグを差し込んで作業を行なう。なお、作業を終了した場合には、ドラムリール１２のハンドルを用いてドラムリール１２を回転させて、電源ケーブル１３をドラムリール１２の軸部１２ａの外周に巻き付けて片付ける。
【００２１】
以上、本実施形態によれば、以下のような効果を得ることができる。
（１）本実施形態の電工ドラム１０は、電源ケーブル１３が巻回されるドラムリール１２の軸部１２ａの周面上にコンセント１４を備える。このため、ドラムリール１２から電源ケーブル１３を引き出した状態でないとコンセント１４が露出せず使用できない。従って、電源ケーブル１３をドラムリール１２に巻き付けた状態での使用を抑止して、通電時の発熱を抑制することができる。
【００２２】
＜第２の実施形態＞
次に、図２を用いて、電工ドラムを具体化した第２実施形態について説明する。本実施形態では、上記第１の実施形態のドラムリール１２の軸部１２ａの形状を変更するとともに、コンセントの位置を変更したのみの構成である。以下の実施形態においては、上記実施形態と同様の部分については、同一の符号を付して、その詳細な説明は省略する。
【００２３】
図２（ａ）及び図２（ｂ）に示すように、電工ドラム２０のドラムリール２２は、上記第１の実施形態と同様に、筒状の軸部２２ａと側板部２２ｂとを備えている。本実施形態の軸部２２ａは、コンセント１４が設けられている領域の筒状体の周面を平面で切り欠いた形状となっている。
【００２４】
本実施形態の電工ドラム２０は、上記第１の実施形態と同様に、ドラムリール２２を回転させて電源ケーブル１３を引き出して、コンセント１４を露出させて使用する。電工ドラム２０を片付ける場合には、ドラムリール２２を回転させて、電源ケーブル１３をドラムリール２２の軸部２２ａの外周に巻き付ける。この場合、コンセント１４は、軸部２２ａの切り欠き部分に配置されているので、電源ケーブル１３の巻回の障害にならない。
【００２５】
本実施形態によれば、上記（１）に記載の効果と同様な効果に加えて、以下の効果を得ることができる。
（２）本実施形態の電工ドラム２０では、ドラムリール２２の軸部２２ａが、コンセント１４が設けられている領域の筒状体の周面を平面で切り欠いた形状をしている。このため、コンセント１４が、軸部２２ａの周面から大きく突出しない。従って、電源ケーブル１３を軸部２２ａに巻き付ける際には、コンセント１４が障害にならず、電源ケーブル１３を効率的に巻回することができる。
【００２６】
＜第３の実施形態＞
次に、図３を用いて、電工ドラムを具体化した第３実施形態について説明する。上記第１の実施形態においてはドラムリール１２の軸部１２ａの周面上にコンセント１４を配置した。本実施形態では、コンセントを、ドラムリールの側板部で軸部の近傍に設ける。
【００２７】
図３に示すように、本実施形態の電工ドラム３０のドラムリール３２は、上記第１の実施形態と同様に、断面が円形状の筒状の軸部３２ａと側板部３２ｂとを備えている。本実施形態の側板部３２ｂの、軸部３２ａの近傍に、コンセント３４を配置する。コンセント３４は、ドラムリール３２の軸部３２ａ、側板部３２ｂの内部で、電源ケーブル１３と接続されている。
【００２８】
本実施形態の電工ドラム３０は、使用時に、上記第１の実施形態と同様に、ドラムリール３２を回転させて電源ケーブル１３を引き出す。ドラムリール３２から電源ケーブル１３を引き出した場合に、コンセント３４が露出する。この状態で、コンセント３４に、電力供給先の工具等の電源プラグを差し込んで作業を行なう。なお、作業を終了した場合には、ドラムリール３２を回転させて、電源ケーブル１３をドラムリール３２の軸部３２ａの外周に巻き付けて片付ける。
【００２９】
以上、本実施形態によれば、以下のような効果を得ることができる。
（３）本実施形態の電工ドラム３０は、電源ケーブル１３が巻回されるドラムリール３２の側板部３２ｂであって軸部３２ａの近傍に、コンセント３４が配置されている。このため、ドラムリール３２から電源ケーブル１３を引き出した場合にコンセント３４が露出する。従って、電源ケーブル１３をドラムリール３２に巻き付けた状態での使用を抑止し、通電時の発熱を抑制することができる。また、電源ケーブル１３の巻回時に、コンセント３４が障害にならず、効率的に巻回することができる。
【００３０】
＜第４の実施形態＞
次に、図４を用いて、電工ドラムを具体化した第４の実施形態について説明する。上記第１の実施形態においてはドラムリール１２の軸部１２ａの周面上にコンセント１４を配置した。本実施形態では、ドラムリールの軸部の周面上に、電力供給を制御する機構を設ける。
【００３１】
図４（ａ）に示すように、本実施形態の電工ドラム４０のドラムリール４２は、上記第１の実施形態と同様に、断面が円形状の筒状の軸部４２ａと側板部４２ｂとを備えている。この側板部４２ｂには、従来の電工ドラムと同様に、複数のコンセント４４が設けられている。更に、ドラムリール４２の軸部４２ａには、その周面上に、電源スイッチ（ＳＷ）４６のボタン４６ａが突出して配置されている。本実施形態のボタン４６ａは、軸部４２ａの軸方向に横断する長尺形状をしている。
【００３２】
図４（ｂ）及び図４（ｃ）は、ドラムリール４２の軸部４２ａ内に配置される電気構成の要部を模式的に示した図である。図４（ｂ）は、軸部４２ａから電源スイッチ４６のボタン４６ａが突出した状態、図４（ｃ）は、軸部４２ａに、電源スイッチ４６のボタン４６ａが押し込まれた状態を示している。
【００３３】
図４（ｂ）及び図４（ｃ）に示すように、電源スイッチ４６は、リレー４７に接続されている。本実施形態のリレー４７は、コンセント４４と電源プラグ１３ａとの間で、直列に接続されている。このリレー４７は、ボタン４６ａが突出している場合には、コンセント４４と電源プラグ１３ａとを通電する。リレー４７は、ボタン４６ａが押し込まれた場合には、コンセント４４と電源プラグ１３ａとの通電を遮断する。
【００３４】
次に、本実施形態の電工ドラム４０の作用について説明する。
図４（ｃ）に示すように、本実施形態の電工ドラム４０の不使用時には、ドラムリール４２の両側板部４２ｂの間で、軸部４２ａの外周に、電源ケーブル１３が巻回されて収納される。このため、電源ケーブル１３によって、ドラムリール４２の周面上のボタン４６ａが押し込まれた状態になっている。従って、この状態において、リレー４７が、コンセント４４と電源プラグ１３ａとの通電を遮断する。
【００３５】
図４（ｂ）に示すように、電工ドラム４０の使用時には、電源ケーブル１３を、ドラムリール４２から引き出す。そして、電源スイッチ４６のボタン４６ａ上の電源ケーブル１３が取り除かれると、リレー４７は、コンセント４４と電源プラグ１３ａとを通電する。この状態で、コンセント４４に、電力供給先の工具等の電源プラグを差し込んで作業を行なう。なお、作業を終了した場合には、ドラムリール４２のハンドルを用いてドラムリール４２を回転させて、電源ケーブル１３をドラムリール４２の軸部の外周に巻き付けて片付ける。この場合、電源ケーブル１３によってドラムリール４２の周面上のボタン４６ａが押し込まれて、コンセント４４と電源プラグ１３ａとの通電を遮断する。
【００３６】
本実施形態によれば、以下のような効果を得ることができる。
（４）本実施形態の電工ドラム４０は、電源ケーブル１３が巻回されるドラムリール４２の周面上に電源スイッチ４６のボタン４６ａを備える。ドラムリール４２に電源ケーブル１３が巻回されてボタン４６ａが押された場合には、コンセント４４と電源プラグ１３ａとの通電が遮断される。電源ケーブル１３がドラムリール４２から引き出されて、ボタン４６ａが突出すると、コンセント４４と電源プラグ１３ａとが通電する。このため、ドラムリール４２から電源ケーブル１３を引き出した状態でないと、電源プラグ１３ａからコンセント４４に電力が供給されない。従って、電源ケーブル１３をドラムリール４２に巻き付けた状態での使用を抑止でき、通電時の発熱を抑制することができる。
また、本実施形態のボタン４６ａは、軸部４２ａの軸方向に横断する長尺形状をしている。このため、電源ケーブルが偏って軸部に巻回されている場合にも、通電が遮断される。従って、電源ケーブルの巻回状態を解消した状態で初めて電力を供給することができる。
【００３７】
＜第５の実施形態＞
次に、図５を用いて、電工ドラムに取り付けるアタッチメントを具体化した第５実施形態について説明する。上記第１の実施形態においては、ドラムリール１２の軸部１２ａの周面上にコンセント１４を配置した電工ドラムについて説明した。本実施形態では、公知の電工ドラムを用いて、第１の実施形態の電工ドラムを実現するためのアタッチメントについて説明する。
【００３８】
まず、図５（ａ）を用いて、本実施形態のアタッチメント６０を装着する電工ドラム５０の構成について説明する。
電工ドラム５０は、フレーム５１、ドラムリール５２及び電源ケーブル５３を備えている。フレーム５１は、上記実施形態と同様に、軸受部などを介してドラムリール５２を両方向に回転可能に支持する。ドラムリール５２は、筒状の軸部５２ａと、軸部５２ａの両側に一体形成された側板部５２ｂとを備えている。
【００３９】
ドラムリール５２の軸部５２ａは、断面が円形状の筒状体をした磁性材料で構成されている場合を想定する。軸部５２ａの外周には、電源ケーブル５３が巻回される。軸部５２ａの内部では、電源ケーブル５３と、プラグ受け部としてのコンセント５４とが接続されている。
【００４０】
ドラムリール５２の側板部５２ｂは、軸部５２ａより大径の円板形状である。両側板部５２ｂの間に、軸部５２ａの外周に巻回された電源ケーブル５３が配置される。フレーム５１の反対側の側板部５２ｂの中央には、複数（４つ）の３芯のコンセント５４を備える。
【００４１】
次に、図５（ｂ）を用いて、電工ドラム５０に装着するアタッチメント６０の構成について説明する。
本実施形態のアタッチメント６０は、プラグ装着部６１と、コンセント装着部６２と、これら装着部（６１，６２）を接続する電源ケーブル６３とを備えている。
【００４２】
プラグ装着部６１は、電工ドラム５０の各コンセント５４の配置に対応して複数の差込プラグ６１ａが、一面に設けられている。
コンセント装着部６２は、アタッチメント６０を装着する電工ドラム５０の軸部５２ａの周面形状に沿う円弧面形状をしている。コンセント装着部６２の中央が外側に膨らんだ面側には、複数（４つ）の新設プラグ受け部としてのコンセント６４（３芯）を備える。コンセント６４とは反対側の面には、取付用の磁石（図示せず）が設けられている。
【００４３】
電源ケーブル６３は、プラグ装着部６１の差込プラグ６１ａと、コンセント装着部６２のコンセント６４とを接続する。この電源ケーブル６３は、コンセント５４に差込プラグ６１ａを挿入した場合に、コンセント装着部６２が電工ドラム５０の軸部５２ａに取り付けられる長さを有している。
【００４４】
次に、図５（ａ）を用いて、本実施形態のアタッチメント６０の電工ドラム５０への取り付け方法について説明する。まず、電工ドラム５０の側板部５２ｂの各コンセント５４に、アタッチメント６０のプラグ装着部６１の各差込プラグ６１ａを差し込む。そして、アタッチメント６０のコンセント装着部６２を、電工ドラム５０の軸部５２ａの外周に配置する。この場合、コンセント装着部６２は、コンセント６４の裏面側に設けられた磁石によって、軸部５２ａに固定される。
そして、上記第１の実施形態の電工ドラム１０と同様に用いることができる。
【００４５】
以上、本実施形態によれば、以下のような効果を得ることができる。
（５）本実施形態のアタッチメント６０は、プラグ装着部６１と、電源ケーブル６３を介してプラグ装着部６１に接続されたコンセント装着部６２とを備えている。プラグ装着部６１には、装着する電工ドラム５０のコンセント５４に挿入可能となった差込プラグ６１ａが設けられている。コンセント装着部６２は、装着する電工ドラム５０のドラムリール５２の軸部５２ａの周面形状に沿う円弧面形状をしている。従って、アタッチメント６０を装着した電工ドラム５０を用いる場合、ドラムリール５２から電源ケーブル５３を引き出した状態でないとコンセント５４が露出せず使用できない。従って、公知の電工ドラム５０であっても、電源ケーブル５３をドラムリール５２に巻き付けた状態での使用を抑止して、通電時の発熱を抑制することができる。
【００４６】
（６）本実施形態のアタッチメント６０は、コンセント装着部６２のコンセント６４の裏面側に磁石が設けられている。このため、磁石によって、アタッチメント６０のコンセント装着部６２を、軸部５２ａに固定することができる。
【００４７】
＜第６の実施形態＞
次に、図６を用いて、電工ドラムに取り付ける電工ドラム用アタッチメントを具体化した第６の実施形態について説明する。上記第５の実施形態においては、電工ドラム５０のドラムリール５２の軸部５２ａの周面上に、コンセント６４を備えたコンセント装着部６２を取り付けるアタッチメント６０について説明した。本実施形態では、公知の電工ドラムを、第３の実施形態の電工ドラム３０と同様に、ドラムリールの側板部で軸部の近傍にコンセントを配置するアタッチメントについて説明する。
【００４８】
本実施形態におけるアタッチメント７０は、上記第５の実施形態と同様に、公知の電工ドラム５０に装着される。ただし、本実施形態において、アタッチメント７０のコンセント７４は、第３の実施形態の電工ドラム３０と異なり、装着する電工ドラム５０のフレーム５１とは反対側（電工ドラム５０のコンセント５４側）の側板部５２ｂに配置する。本実施形態では、４つのアタッチメント７０を使用する。各アタッチメント７０は、電工ドラム５０のコンセント５４に１つずつ対応して取り付けられる。
【００４９】
図６（ａ）は、アタッチメント７０の取り付けを説明するための電工ドラム５０の拡大斜視図である。この図においては、１つのアタッチメント７０のみ示している。図６（ｂ）は、アタッチメント７０の構成を説明するための断面図である。
【００５０】
図６（ａ）及び図６（ｂ）に示すように、本実施形態のアタッチメント７０は、装着部７１を備えている。この装着部７１の内部は中空となっており、電源ケーブル７３が貫通している。
【００５１】
装着部７１は、電工ドラム５０の側板部５２ｂを挿入する空間を開けた２枚の板状部材７１ａ、７１ｂと、板状部材７１ａ、７１ｂの端部の接続部とから構成されている。アタッチメント７０を側板部５２ｂに固定するために、板状部材７１ａ，７１ｂの間隔は、接続部側の方が狭くなっている。板状部材７１ａは、薄板バネとなっている。そして、板状部材７１ａは、板状部材７１ｂとの間で側板部５２ｂを挟み込むことにより、アタッチメント７０を電工ドラム５０に固定する。
【００５２】
板状部材７１ｂは、電工ドラム５０のドラムリール５２の軸部５２ａの近傍まで延在する長さを有する。板状部材７１ｂの外側で先端近傍には、新設プラグ受け部としてのコンセント７４を備える。
【００５３】
電源ケーブル７３の一端部には、板状部材７１ｂのコンセント７４が設けられている。電源ケーブル７３の他端部は、装着部７１から露出している。電源ケーブル７３から露出した端部の先端には、差込プラグ７３ａが設けられている。
【００５４】
次に、本実施形態のアタッチメント７０の電工ドラム５０への取り付け方法について説明する。まず、電工ドラム５０の側板部５２ｂの端部から、アタッチメント７０の装着部７１の板状部材７１ａ，７１ｂを挿入する。そして、コンセント７４が、電工ドラム５０の軸部５２ａの近傍の位置となるまで、アタッチメント７０の装着部７１を押し込む。この場合、板状部材７１ａの先端を外側に開けて、板状部材７１ａ，７１ｂの先端によって側板部５２ｂが挟まれて、アタッチメント７０が固定される。次に、アタッチメント７０の電源ケーブル７３の差込プラグ７３ａを差し込む。
そして、上記第３の実施形態の電工ドラム３０と同様に用いることができる。
【００５５】
以上、本実施形態によれば、以下のような効果を得ることができる。
（７）本実施形態のアタッチメント７０は、電工ドラム５０の側板部５２ｂのコンセント５４の近傍にまで延在された板状部材７１ａの端部と、電工ドラム５０のドラムリール５２の軸部５２ａの近傍まで延在した板状部材７１ｂとの端部とを接続することにより構成されている。板状部材７１ｂの外側には、コンセント７４が設けられている。このコンセント７４は、電源ケーブル７３を介して差込プラグ７３ａに接続されている。従って、アタッチメント７０を装着した電工ドラム５０を用いる場合、ドラムリール５２から電源ケーブル５３を引き出した状態でないとコンセント５４が露出せず使用できない。従って、公知の電工ドラム５０であっても、電源ケーブル５３をドラムリール５２に巻き付けた状態での使用を抑止でき、通電時の発熱を抑制することができる。
【００５６】
（８）本実施形態のアタッチメント７０は、装着部７１の板状部材７１ａの先端部は、薄板バネとなっている。この板状部材７１ａは、板状部材７１ｂと協働して、側板部５２ｂを挟み込むことにより、アタッチメント７０を電工ドラム５０に固定する。これにより、アタッチメント７０を電工ドラム５０に固定することができる。
【００５７】
また、上記各実施形態は、以下のように変更してもよい。
・上記第１の実施形態において、電工ドラム１０のドラムリール１２の軸部１２ａは、断面が円形状の筒状をしている。軸部１２ａの断面形状は、円形状に限らず、電源ケーブル１３の巻回可能な多角形状であってもよい。
【００５８】
・上記第２の実施形態において、電工ドラム２０のドラムリール２２の軸部２２ａは、円形状の一部を水平に切り欠いた断面形状とする。そして、この平面部分にコンセント１４を配置している。軸部２２ａの形状は、コンセント１４を配置する箇所を凹ませた同一断面とする場合に限らず、コンセント１４が配置された領域のみに凹部を設けるようにしてもよい。
【００５９】
・上記第３の実施形態においては、電工ドラム３０の側板部３２ｂにおいて、軸部３２ａの近傍に、コンセント３４を１つ配置した。コンセント３４の数はこれに限定されるものではなく、側板部３２ｂにおいて、軸部３２ａの近傍であれば、複数のコンセント３４を配置してもよい。また、電工ドラム３０に、コンセント３４とともに、上記第１及び第２実施形態のように、軸部３２ａの周面上に更なるコンセントを設けてもよい。
更に、上記第１、第２及び第５の実施形態においては、電工ドラムの軸部の外周方向にコンセントを２列に並べて配置した。これに代えて、複数のコンセントを電工ドラムの軸部の軸方向に一列に並べてもよいし、軸部の外周にランダムに配置してもよい。更に、電工ドラムの軸部からの電源ケーブルの取出し位置側の軸部の外周に、コンセントを並べて配置してもよい。
【００６０】
・上記第４の実施形態において、電工ドラム４０の軸部４２ａに設けたボタン４６ａの電源スイッチ４６は、コンセント４４と電源プラグ１３ａとの間に直列に接続されたリレー４７の開閉を制御する。スイッチによる通電の制御は、リレー４７に限定されるものではない。例えば、漏電の検知時に、通電を遮断する漏電遮断スイッチの開閉を制御するようにしてもよい。
【００６１】
また、第４の実施形態において、電源スイッチ４６のボタン４６ａは、電工ドラム４０のドラムリール４２の軸部４２ａにおいて、軸部４２ａの軸方向に横断する長尺形状で設ける。ボタンを設ける箇所や形状は、これに限定されるものではない。例えば、長尺形状のボタン４６ａを複数に分割した形状、すなわち軸部４２ａの軸方向に一列に並んだ複数のボタンとしてもよい。更に、複数のボタンを、外周上で円周方向にずらして配置してもよい。これらの場合には、すべてのボタンが解放された状態の場合にコンセント４４と電源プラグ１３ａとを通電する。これにより、電源ケーブル１３が偏って軸部に巻回されている場合にも、電力供給が遮断される。また、ボタンの位置も、軸部４２ａに巻回された電源ケーブル１３を引き出した場合に突出する箇所であればよい。例えば、ボタンを、ドラムリールの側板部（の軸部の近傍）に配置してもよいし、電工ドラムの軸部からの電源ケーブルの取出し位置側の軸部の外周に配置してもよい。
【００６２】
・上記第５の実施形態のアタッチメント６０は、差込プラグ６１ａを有するプラグ装着部６１と、コンセント６４を有するコンセント装着部６２とを備える。上記第６の実施形態のアタッチメント７０は、コンセント７４を有する板状部材７１ｂと、このコンセント７４にケーブルを介して接続された差込プラグ７３ａとを備える。アタッチメントの構成は、これらに限定されるものではない。例えば、板状部材７１ａが、差込プラグ７３ａを覆う形状にしてもよい。
【００６３】
更に、アタッチメント６０，７０を、電工ドラム５０に一度装着した場合に、電工ドラム５０から取り外せなくなる固定機構を更に設けてもよい。更に、差込プラグ６１ａ，７３ａを、電工ドラム５０のコンセント５４に挿入した場合に、コンセント５４を取り外せなくする固定具を設けてもよい。
【００６４】
・上記各実施形態において、電工ドラム１０，２０，３０，４０のドラムリール１２，２２，３２，４２を、例えば、メッシュ等の通気性のよい材料で構成してもよい。これにより、通電による昇温を低減することができる。
【符号の説明】
【００６５】
１０，２０，３０，４０，５０…電工ドラム、１１，５１…フレーム、１２，２２，３２，４２，５２…ドラムリール、１２ａ，２２ａ，３２ａ，４２ａ，５２ａ…軸部、１２ｂ，２２ｂ，３２ｂ，４２ｂ，５２ｂ…側板部、１３，５３…電源ケーブル、１３ａ…電源プラグ、１４，３４，４４，５４…プラグ受け部としてのコンセント、４６…電源スイッチ、４６ａ…ボタン、４７…リレー、６０，７０…アタッチメント、６１…プラグ装着部、６１ａ，７３ａ…差込プラグ、６２…コンセント装着部、６３，７３…電源ケーブル、６４，７４…新設プラグ受け部としてのコンセント、７１…装着部、７１ａ，７１ｂ…板状部材。
【図１】
0006568734.tif 000002
【図２】
0006568734.tif 000003
【図３】
0006568734.tif 000004
【図４】
0006568734.tif 000005
【図５】
0006568734.tif 000006
【図６】
0006568734.tif 000007